(57)【特許請求の範囲】
【請求項１】
電気光学素子と、
前記電気光学素子に制御信号又は駆動電源の一方を供給する第１の配線と、
前記電気光学素子に制御信号又は駆動電源の他の一方を供給する第２の配線とを有し、
前記第１の配線は、前記第２の配線との交差部において、一又は複数の開口を設けた形状に形成されたくびれ部を有することを特徴とする電気光学装置。
【請求項２】
請求項１記載の電気光学装置において、
前記第２の配線は、前記第１の配線と同一の配線層に設けられた通常配線部と、
前記第１の配線と異なる配線層に設けられ、前記くびれ部と立体的に交差する迂回配線部と、
前記通常配線部と前記迂回配線部とを接続する接続部と、を有することを特徴とする電気光学装置。
【請求項３】
請求項１記載の電気光学装置において、
前記第１の配線は、前記第２の配線と同一の配線層に設けられた通常配線部と、
前記第２の配線と異なる配線層に設けられ、前記第２の配線と立体的に交差する迂回配線部と、
前記通常配線部と前記迂回配線部とを接続する接続部と、を有することを特徴とする電気光学装置。
【請求項４】
請求項１記載の電気光学装置において、
前記第２の配線は、前記第１の配線と異なる配線層に設けられ、前記第１の配線と立体的に交差することを特徴とする電気光学装置。
【請求項５】
請求項１乃至４の何れか一に記載の電気光学装置において、  前記第２の配線は、前記第１の配線の前記くびれ部との交差部において、くびれ部を有することを特徴とする電気光学装置。
【請求項６】
互いに特性の異なる複数の電気光学素子を有する表示部と、前記電気光学素子に対応して設けられ、前記表示部に駆動電源を供給する複数の電源バスラインと、
前記表示部に制御信号を供給する信号線とを有し、
前記複数の電源バスラインは、前記信号線との交差部において、一又は複数の開口を設けた形状に形成されたくびれ部を有することを特徴とする電気光学装置。
【請求項７】
請求項６記載の電気光学装置において、
前記信号線は、前記複数の電源バスラインと同一の配線層に設けられた通常配線部と、
前記複数の電源バスラインと異なる配線層に設けられ、前記くびれ部と立体的に交差する迂回配線部と、
前記通常配線部と前記迂回配線部とを接続する接続部と、を有することを特徴とする電気光学装置。
【請求項８】
請求項６記載の電気光学装置において、
前記複数の電源バスラインは、前記信号線と同一の配線層に設けられた通常配線部と、
前記信号線と異なる配線層に設けられ、前記信号線と立体的に交差する迂回配線部と、
前記通常配線部と前記迂回配線部とを接続する接続部と、を有することを特徴とする電気光学装置。
【請求項９】
請求項６記載の電気光学装置において、
前記信号線は、前記複数の電源バスラインと異なる配線層に設けられ、前記複数の電源バスラインと立体的に交差することを特徴とする電気光学装置。
【請求項１０】
請求項６乃至９の何れか一に記載の電気光学装置において、  前記信号線は、前記複数の電源バスラインの前記くびれ部との交差部において、くびれ部を有することを特徴とする電気光学装置。
【請求項１１】
請求項６乃至１０の何れか一に記載の電気光学装置において、
前記互いに特性の異なる複数の電気光学素子は、互いに発光色の異なる電気光学素子を含むことを特徴とする電気光学装置。
【請求項１２】
請求項１乃至１１の何れか一に記載の電気光学装置と、
前記電気光学装置に接続され、前記駆動電源を供給する配線又は前記電源バスラインに駆動電源を供給する駆動電源回路と、
前記電気光学装置に接続され、前記制御信号を供給する配線又は前記信号線に制御信号を供給する制御信号生成回路とを有することを特徴とする電子機器。
【発明の詳細な説明】
【０００１】
【発明の属する技術分野】
本発明は、電気光学装置、及び電子機器に係り、特に、電流駆動素子を駆動させる電気光学装置、及び電子機器に関する。
【０００２】
【従来の技術】
従来、電流駆動素子を備えた有機ＥＬパネル等の電気光学装置が各種提案されている。図１８に示すように、一般的な電気光学装置は、複数の電流駆動素子（不図示）を有するマトリクス表示部１００と、該マトリクス表示部１００の周辺に形成される額縁部１０１と、該額縁部１０１の一辺に設けられた実装端子部１０２と、額縁部１０１内に配設される導電線であって、実装端子部１０２に接続される電源バスライン１０３と、該電源バスライン１０３に連設され、前記電流駆動素子へ駆動電流を供給するｎ本（ｎ≧１）の電源線１０４とから構成されている。
【０００３】
額縁部１０１は、マトリクス表示部１００の周辺に形成されており、実装端子部１０２が備えられる第１領域１０１ａと、該第１領域１０１ａの上記マトリクス表示部１００を挟んで対向する側に設けられる第２領域１０１ｂと、該第２領域１０１ｂと第１領域１０１ａとを繋ぐ、第３領域１０１ｃ及び第４領域１０１ｄとを有している。
【０００４】
電源バスライン１０３は、連続した１本の導電線で形成され、材質としては、ＡｌやＡｌＳｉＣｕ等の金属材が採用される。また、電源バスライン１０３は、額縁部１０１の一辺（本例では第２領域１０１ｂ）に設けられ、上記の複数の電源線１０４と接続される電源供給部１０３ｂと、この電源供給部１０３ｂの一端と実装端子部１０２とを接続している導通部１０３ａ（本例では第３領域１０１ｃ内に配設されている）とからなる。導通部１０３ａは、幅寸法Ｗ1 、高さ（厚さ）寸法ｔの断面を有する。さらに、供給部１０３ｂは、幅寸法Ｗ2 、高さ（厚さ）寸法ｔの断面を有し、ｎ本の電源線１０４は、全て供給部１０３ｂから取り出され、前記電流駆動素子に接続される。
電流駆動素子の駆動電流は、実装端子部１０２から装置に供給され、電源バスライン１０３の導通部１０３ａを通過して供給部１０３ｂに導かれ、各電源線１０４に通電され、各電流駆動素子に供給される。
【０００５】
しかしながら、上記従来技術においては、以下のような問題点を有していた。第一の問題として、図１８に示すように、第３領域１０１ｃ内に導通部１０３ａが配設されている為に、額縁部１０１の第３領域１０１ｃが導通部１０３ａの幅寸法Ｗ1の分だけ広くなってしまう。小型化を図る上でマトリクス表示部１００の周辺に形成された額縁部１０１は、出来るだけ狭いことが望ましい。
第二の問題として、図１８に示すように、実装端子部１０２と導通部１０３ａとの接続位置、即ち、当該電気光学装置への給電点をＡ点とし、導通部１０３ａに対して最も近くに位置する電源線１０４（Ｘ1）と供給部１０３ｂとの接続位置をＢ点とし、導通部１０３ａに対して最も遠くに位置する電源線１０４（Ｘn）と供給部１０３ｂとの接続位置をＣ点とし、前記Ａ，Ｂ，Ｃの各点における電位を、それぞれＶA ,ＶB ,ＶC とした場合、図１９に示すように、Ｂ点から距離Ｌ1だけ離れたＣ点では、Ｖ１の電圧降下が生じるという問題がある。なお、図１９のグラフでは、単純化のため、全ての電流駆動素子にほぼ一定の電流が供給されている場合を示している。
各電流駆動素子に供給される電流は、印加される電圧に応じて異なるため、上記の電圧降下は、供給部１０３ｂと平行な方向（通常は電流駆動素子毎のデータを供給するタイミングを示す信号線（走査線（不図示））と平行な方向）における電流供給ムラの原因となる。電流駆動素子が発光素子の場合には輝度ムラの原因となり、電気光学装置の表示品質の低下を招くという問題があった。また、電流プログラム回路を用いて静的な電圧誤差の影響を除いた場合であっても、供給部１０３ｂの共通インピーダンスが大きいために、動的な電圧変動の影響によって、動的な電流供給ムラ、輝度ムラの原因となり、表示品質の低下をもたらしていた。
【０００６】
さらに、図１８に示すように、前記電源線１０４（Ｘ1 ）における最端位置をＤ点とすると、図２０に示すように、Ｄ点における電圧値をＶD とした場合、電圧値ＶB に対して、Ｂ点から距離Ｌ2だけ離れたＤ点では、電位差Ｖ２の電圧降下が生じるという問題がある。
即ち、上記の電圧降下は、垂直方向の輝度ムラの原因となり、電気光学装置の表示品質の低下を招くという問題があった。また、電流プログラム回路を用いて静的な電圧誤差の影響を除いた場合であっても、電源線１０４の共通インピーダンスが大きいために、動的な電圧変動の影響によって、動的な電流供給ムラ、輝度ムラの原因となり、表示品質の低下をもたらしていた。このような問題を解決するために、電源線１０４の両端を電源端子に接続した例もある（例えば、特許文献１参照。）。
【０００７】
【特許文献１】
特開２００２−１０８２５２号公報
【０００８】
【発明が解決しようとする課題】
図１８に示した従来例において、第３領域１０１ｃ内に導通部１０３ａが配設されている為に、額縁部１０１の第３領域１０１ｃが導通部１０３ａの幅寸法Ｗ1の分だけ広くなってしまう。また、電源線１０４は電源バスライン１０３を介して電源端子に接続されており、この電源バスライン１０３における電圧降下も無視できない。また、電圧降下は、電源バスラインの有する内部抵抗（共通インピーダンス）に対して駆動電流が流れることにより発生するので、電源バスラインの幅を十分広くして共通インピーダンスを低下させることで、電圧降下を抑えることができるものの、電源バスラインの幅を広くするに従い、額縁部１０１も広くなり装置の大型化を招来するという問題があった。
【０００９】
本発明は、上記事情に鑑みてなされたものであり、額縁部を広くすることなく、電流ムラ、輝度ムラを抑え、電気光学装置及び電子機器の表示品質を改善することを目的とする。
【００２３】
【課題を解決するための手段】
この課題を解決するために、本発明に係る電気光学装置は、電気光学素子と、前記電気光学素子に制御信号又は駆動電源の一方を供給する第１の配線と、前記電気光学素子に制御信号又は駆動電源の他の一方を供給する第２の配線とを有し、前記第１の配線は、前記第２の配線との交差部において、一又は複数の開口を設けた形状に形成されたくびれ部を有する。また、上記制御信号とは、電気光学素子に供給される表示データ信号、駆動回路に供給されるクロック信号やイネーブル信号や駆動を制御する信号、及び画素回路を制御する画素回路制御信号などを指す。
上記の構造によれば、駆動用電源ライン等の駆動電源線に、くびれ部を設けることによって、駆動電源線と表示データ信号線等の信号線との交差部の面積が小さくなるので、交差部で発生する寄生容量の値を低減することができる。更に、くびれ部が、当該配線に一又は複数の開口を設けた形状に形成されていることにより、くびれ部が複数の部分に分割されるので、外傷による断線に対して強い構造とすることができる。
【００２４】
本発明に係る電気光学装置において、前記第２の配線は、前記第１の配線と同一の配線層に設けられた通常配線部と、前記第１の配線と異なる配線層に設けられ、前記くびれ部と立体的に交差する迂回配線部と、前記通常配線部と前記迂回配線部とを接続する接続部と、を有する。
また、この電気光学装置において、前記第１の配線は、前記第２の配線と同一の配線層に設けられた通常配線部と、前記第２の配線と異なる配線層に設けられ、前記第２の配線と立体的に交差する迂回配線部と、前記通常配線部と前記迂回配線部とを接続する接続部と、を有する。
これらの構造により、迂回配線部の長さを極力短縮することが可能となり、その部分のシート抵抗値が高い場合でも第２の配線全体の抵抗値の上昇を押さえることが可能となる。従って、第２の配線の時定数（抵抗値と寄生容量との積）を低減することが可能となり、装置の応答特性を向上させることができる。
また、この電気光学装置において、前記第２の配線は、前記第１の配線と異なる配線層に設けられ、前記第１の配線と立体的に交差しても良い。
また、この電気光学装置において、前記第２の配線は、前記第１の配線の前記くびれ部との交差部において、くびれ部を有する。この場合も上記と同様の理由から、両配線のくびれ部の相乗効果により、寄生容量を更に低減することが可能となる。
【００２６】
本発明に係る電気光学装置は、互いに特性の異なる複数の電気光学素子を有する表示部と、前記電気光学素子に対応して設けられ、前記表示部に駆動電源を供給する複数の電源バスラインと、前記表示部に制御信号を供給する信号線とを有し、前記複数の電源バスラインは、前記信号線との交差部において、一又は複数の開口を設けた形状に形成されたくびれ部を有する。
また、この電気光学装置において、前記信号線は、前記複数の電源バスラインと同一の配線層に設けられた通常配線部と、前記複数の電源バスラインと異なる配線層に設けられ、前記くびれ部と立体的に交差する迂回配線部と、前記通常配線部と前記迂回配線部とを接続する接続部と、を有する。
また、この電気光学装置において、前記複数の電源バスラインは、前記信号線と同一の配線層に設けられた通常配線部と、前記信号線と異なる配線層に設けられ、前記信号線と立体的に交差する迂回配線部と、前記通常配線部と前記迂回配線部とを接続する接続部と、を有する。
また、この電気光学装置において、前記信号線は、前記複数の電源バスラインと異なる配線層に設けられ、前記複数の電源バスラインと立体的に交差する。
また、この電気光学装置において、前記信号線は、前記複数の電源バスラインの前記くびれ部との交差部において、くびれ部を有する。
また、この電気光学装置において、前記互いに特性の異なる複数の電気光学素子は、互いに発光色の異なる電気光学素子を含む。
上記の構造によれば、くびれ部を設けることによって、電源バスラインと信号線との交差部の面積が小さくなるので、交差部で発生する寄生容量の値を低減することができる。更に、くびれ部が、当該配線に一又は複数の開口を設けた形状に形成されていることにより、くびれ部が複数の部分に分割されるので、外傷による断線に対して強い構造とすることができる。
【００２８】
本発明に係る電気光学装置は、前記電気光学装置に接続され、前記駆動電源を供給する配線又は前記電源バスラインに駆動電源を供給する駆動電源回路と、前記電気光学装置に接続され、前記制御信号を供給する配線又は前記信号線に制御信号を供給する制御信号生成回路とを有する。  良好な発光階調特性を有する上記の電気光学装置を備えることにより、表示性能を向上させることが可能となる。
【００２９】
【発明の実施の形態】
以下、図面を参照して本発明の実施形態である電気光学装置、及び電子機器について詳細に説明する。
【００３０】
〔電気光学装置の第１の実施形態〕
図１は、本発明の第１の実施形態における電気光学装置を示す図であり、本図中において、図１８と同一構成のものには、同一の符号を付している。
本実施形態における電気光学装置では、基本的な構成は、図１８に示す従来の電気光学装置とほぼ同様であるが、図１８に示した第１の電源バスライン１０３の代わりに、第１の各領域１０１ａに連接して配設され実装端子部１０２に接続された第２の電源バスライン５４を備えることを特徴とする。
【００３１】
図１に示すように、第２の電源バスライン５４は、連続した１本の導電線で形成され、材質としては、ＡｌやＡｌＳｉＣｕ等の金属材が採用される。また、第２の電源バスライン５４は、片端が実装端子部１０２の接続部に接続され、第１領域１０１ａ内に配設される第１導通部５４ａと、第１導通部５４ａに連接する供給部５４ｂとからなる。さらに、ｎ本の電源線１０４は、全て供給部５４ｂから前記電流駆動素子に連接される。このように第２の電源バスライン５４を、実装端子部１０２とマトリクス表示部１００に挟まれた領域（つまり第１領域１０１ａ）に配置した事により、第３領域１０１ｃ内、及び第４領域１０１ｄ内に導通部が配設されていないので、第３領域１０１ｃ及び第４領域１０１ｄを狭くする事が可能である。
【００３２】
〔電気光学装置の第２の実施形態〕
図２は、本発明の第２の実施形態における電気光学装置を示す図であり、本図中において、図１８と同一構成のものには、同一の符号を付している。
本実施形態における電気光学装置では、基本的な構成は、図１８に示す従来の電気光学装置と同様であるが、図１８に示した第１の電源バスライン１０３の代わりに、第２〜４の各領域１０１ｂ，１０１ｃ，１０１ｄに連接して配設され、実装端子部１０２に２カ所接続された第３の電源バスライン１０を備えることを特徴とする。
【００３３】
図２に示すように、第３の電源バスライン１０は、連続した１本の導電線で形成され、材質としては、ＡｌやＡｌＳｉＣｕ等の金属材が採用される。また、第３の電源バスライン１０は、両端が実装端子部１０２の接続部（不図示）に接続され、第３領域１０１ｃ内に配設される第１導通部１０ａと、第４領域１０１ｄ内に配設される第２導通部１０ｂと、第１導通部１０ａ及び第２導通部１０ｂに連接し、第２領域１０１ｂ内に配設される供給部１０ｃとからなる。第１導通部１０ａ及び第２導通部１０ｂは、共に幅寸法Ｗ3 、高さ寸法ｔの断面を有する。さらに、供給部１０ｃは、幅寸法Ｗ4 、高さ寸法ｔの断面を有し、ｎ本の電源線１０４は、全て供給部１０ｃから前記電流駆動素子に連接される。
【００３４】
また、第１導通部１０ａ及び第２導通部１０ｂの幅寸法Ｗ3 は、図１８に示すような、従来技術における導通部１０３ａの幅寸法Ｗ1の１／２の大きさに形成される。さらに、供給部１０ｃの幅寸法Ｗ4 は、従来技術における供給部１０３ｂの幅寸法Ｗ2 の１／２の大きさに形成されている。これらの幅寸法が従来技術におけるそれの１／２に形成されるのは、当該配線の両端から電流が供給されるため、このように形成しても電圧降下が増大しないからである。
【００３５】
電流駆動素子の駆動電流は、実装端子部１０２を電源とし、第３の電源バスライン１０の第１通電部１０ａ、及び第２通電部１０ｂとを通過して供給部１０ｃに導かれ、各電源線１０４に通電され、各電流駆動素子に供給される。
【００３６】
図２に示すように、実装端子部１０２と第１通電部１０ａとの接続位置をＥ点とし、実装端子部１０２と第２通電部１０ｂとの接続位置をＦ点とし、第１通電部１０ａに対して最も近傍に位置する電源線１０４（Ｘ1 ）と供給部１０ｃとの連接位置をＧ点とし、第２通電部１０ｂに対して最も近傍に位置する電源線１０４（Ｘn ）と供給部１０ｃとの連接位置をＨ点とし、電源線１０４（Ｘ1 ）と電源線１０４（Ｘn ）との中間に位置する電源線１０４（Ｘn/2 ）と供給部１０ｃとの連接位置をＩ点とした場合、前記Ｅ，Ｆ，Ｇ，Ｈ，Ｉの各点における電圧値をそれぞれＶE ,ＶF ,ＶG ，ＶH ，ＶI とする。
【００３７】
第１導通部１０ａ及び第２導通部１０ｂの幅寸法Ｗ3 が、図１８に示す導通部１０３ａの幅寸法Ｗ1の１／２の大きさに設定され、かつ、供給部１０ｃの幅寸法Ｗ4 が、図１８に示す供給部１０４ｂの幅寸法Ｗ2 の１／２の大きさに設定されている。これは、実装端子部１０２から第１導通部１０ａ、もしくは第２導通部１０ｂに供給される駆動電流値は、それぞれ導通部１０３ａに供給される駆動電流値の１／２となり、電圧降下が増大しないからである。従って、電圧値ＶG 及びＶH は、図１８に示す電圧値ＶB と同一値となる。
【００３８】
図３に、図２におけるＧ点と、該Ｇ点から距離Ｌ3だけ離れたＨ点間の電圧降下の変移を示す。Ｇ−Ｈ点間の距離Ｌ3と、図１８に示すＢ−Ｃ間の距離Ｌ1とが同一距離とすると、図３における電圧降下の傾きは、図２における電圧降下の傾きと同一となる。これは、図１８に示す従来の場合と比較して、それぞれ抵抗値は２倍に、電流値は１／２になるからである。即ち、図２のＩ点における電圧値ＶI が電圧の最小値となり、最大値である電圧値ＶG 及びＶH との電位差Ｖ３は、図１９における電位差Ｖ１の１／２の値となる。
【００３９】
従って、従来の第１電源バスライン１０３と、本実施形態の第３電源バスライン１０との形状を比較した場合、第１電源バスライン１０３を構成する導通部１０３ａの幅寸法Ｗ1 に対して、第３電源バスライン１０を構成する第１導通部１０ａと第２導通部１０ｂとを合わせた幅寸法（Ｗ3 ×２）は同一寸法であり、かつ、第１電源バスライン１０３を構成する供給部１０３ｂの幅寸法Ｗ2 に対して、第３電源バスライン１０を構成する供給部１０ｃ幅寸法Ｗ4 は、Ｗ2 ／２となるので、本実施形態によれば、電源バスラインの幅寸法を広げることなく、即ち、該電源バスラインを配設する額縁部１０１の領域を広げることなく、電圧降下を従来技術の約１／２に抑えることができる。即ち、走査線（不図示）方向の輝度ムラを抑え、該輝度ムラを左右対称として視覚的に目立ちにくくし、電気光学装置の表示品質の低下を低減させることが可能となる。
【００４０】
〔電気光学装置の第３の実施形態〕
図４は、本発明の第３の実施形態における電気光学装置を示す図であり、本図中において、図２と同一構成のものには、同一の符号を付している。
本実施形態における電気光学装置では、基本的な構成は、図２に示した第２の実施形態の電気光学装置と同様であるが、図２に示した第３の電源バスライン１０の代わりに、第１領域１０１ａに配設され、実装端子部１０２に２カ所接続された第４の電源バスライン２０を備えることを特徴とする。
【００４１】
図４に示すように、第４の電源バスライン２０は、連続した１本の導電線で形成され、材質としては、ＡｌやＡｌＳｉＣｕ等の金属材が採用される。また、第４の電源バスライン２０は、両端が実装端子部１０２の接続部（不図示）に接続され、第１領域１０１ａ内に配設される第１導通部２０ａと、第２導通部２０ｂと、第１導通部２０ａ及び第２導通部２０ｂに連接する供給部２０ｃとからなる。第１導通部２０ａ及び第２導通部２０ｂは、共に幅寸法Ｗ3 、高さ寸法ｔの断面を有する。さらに、供給部２０ｃは、幅寸法Ｗ4 、高さ寸法ｔの断面を有し、ｎ本の電源線１０４は、全て供給部２０ｃから前記電流駆動素子に連接される。
【００４２】
また、第１導通部２０ａ及び第２導通部２０ｂの幅寸法Ｗ3 は、第２の実施形態と同様に、図１８に示すような、従来技術における導通部１０３ａの幅寸法Ｗ1の１／２の大きさに形成され、さらに、供給部２０ｃの幅寸法Ｗ4 は、従来技術における供給部１０３ｂの幅寸法Ｗ2 の１／２の大きさに形成されている。これらの幅寸法が従来技術における幅寸法の１／２に形成されるのは、当該配線の両端から電流が供給されるため、このように形成しても電圧降下が増大しないからである。
【００４３】
電流駆動素子の駆動電流は、実装端子部１０２を電源とし、第４の電源バスライン２０の第１通電部２０ａ、及び第２通電部２０ｂとを通過して供給部２０ｃに導かれ、各電源線１０４に通電され、各電流駆動素子に供給される。
【００４４】
図４に示すように、第１通電部２０ａに対して最も近傍に位置する電源線１０４（Ｘ1 ）と供給部２０ｃとの連接位置をＪ点とし、第２通電部２０ｂに対して最も近傍に位置する電源線１０４（Ｘn ）と供給部２０ｃとの連接位置をＫ点とし、電源線１０４（Ｘ1 ）と電源線１０４（Ｘn ）との中間に位置する電源線１０４（Ｘn/2 ）と供給部２０ｃとの連接位置をＭ点とした場合、前記Ｊ，Ｋ，Ｍの各点における電圧値をそれぞれＶJ ,ＶK ,ＶM とする。
【００４５】
図５に、図４におけるＪ点と、該Ｊ点から距離Ｌ4 だけ離れたＫ点間の電圧降下の変移を示す。Ｊ−Ｋ点間の距離Ｌ4 と、図１８に示すＢ−Ｃ間の距離Ｌ1 とが同一距離とすると、図５における電圧降下の傾きは、図３における電圧降下の傾きと同一となる。これは、図１８に示す従来の場合と比較して、それぞれ抵抗値は２倍に、電流値は１／２になるからである。即ち、電圧値ＶJ ,ＶK ,ＶM は、それぞれ図３における電圧値ＶG ,ＶH ,ＶI とは異なる値となるが、図４のＭ点における電圧値ＶM が電圧の最小値となり、最大値である電圧値ＶJ 及びＶK との電位差Ｖ４は、図１９における電位差Ｖ１の１／２の値となる。
【００４６】
従って、従来の第１電源バスライン１０３と、本実施形態の第４電源バスライン２０との形状を比較した場合、第１電源バスライン１０３を構成する導通部１０３ａの幅寸法Ｗ1 に対して、第４電源バスライン２０を構成する第１導通部２０ａと第２導通部２０ｂとを合わせた幅寸法（Ｗ3 ×２）は同一寸法であり、かつ、第１電源バスライン１０３を構成する供給部１０３ｂの幅寸法Ｗ2 に対して、第４電源バスライン２０を構成する供給部２０ｃ幅寸法Ｗ4 は、Ｗ2 ／２となるので、本実施形態によれば、電源バスラインの幅寸法を広げることなく、即ち、該電源バスラインを配設する額縁部１０１の領域を広げることなく、電圧降下を従来技術の約１／２に抑えることができる。即ち、走査線（不図示）方向の輝度ムラを抑え、該輝度ムラを左右対称として視覚的に目立ちにくくし、電気光学装置の表示品質の低下を低減させることが可能となる。
【００４７】
〔電気光学装置の第４の実施形態〕
図６は、本発明の第４の実施形態における電気光学装置を示す図であり、本図中において、図２及び図４と同一構成のものには、同一の符号を付している。
第２及び第３の実施形態では、電源バスラインは、額縁部１０１に、ＲＧＢ各色の電流駆動素子（不図示）の全てに対応して１本のみ設けられているのに対し、本実施形態における電気光学装置では、Ｒｅｄ，Ｇｒｅｅｎ，Ｂｌｕｅの三色の電流駆動素子それぞれに対応した電源バスラインを有することを特徴とする。
【００４８】
図６に示すように、３本の電源バスラインは、第２〜４の各領域１０１ｂ，１０１ｃ，１０１ｄに連接して配設され、実装端子部１０２の２カ所に並列に接続されている。即ち、電気光学装置は、Ｒｅｄの電流駆動素子用である第５の電源バスライン３０と、Ｇｒｅｅｎの電流駆動素子用である第６の電源バスライン３１と、Ｂｌｕｅの電流駆動素子用である第７の電源バスライン３２とを備えている。
【００４９】
第５〜７の各電源バスライン３０，３１，３２には、それぞれ複数の電源線ＹR ，ＹG ，ＹB が接続されている。図７に示すように、電源線ＹR は、第６及び第７の電源バスライン３１，３２を跨ぐように配線され、また、電源線ＹG は、第７電源バスライン３２を跨ぐように配線され、さらに、電源線ＹB は、電源線ＹR と電源線ＹG とともに同一レイヤとなるように配線される。
【００５０】
本実施形態によれば、第２の実施形態と同様な効果を奏し、さらに、ＲＧＢ各色の電流駆動素子にそれぞれ独立した電源バスラインから電流を供給するので、ＲＧＢ各色の電流駆動素子に供給する電流値をそれぞれ適宜調整することができ、また、効率が良く、表示ばらつきが抑えられた電気光学装置を得ることが可能となる。
【００５１】
〔電気光学装置の第５の実施形態〕
図８は、本発明の第５の実施形態における電気光学装置を示す図であり、本図中において、図２，図４，及び図６と同一構成のものには、同一の符号を付している。
本実施形態における電気光学装置では、図６に示した第４の実施形態と同様に、Ｒｅｄ，Ｇｒｅｅｎ，Ｂｌｕｅの三色の電流駆動素子それぞれに対応した３本の電源バスラインを有しているが、全ての電源バスラインは、第１領域１０１ａに配設され、実装端子部１０２の２カ所に、３本の電源バスラインが並列に接続されている。即ち、電気光学装置は、Ｒｅｄの電流駆動素子用である第８の電源バスライン４０と、Ｇｒｅｅｎの電流駆動素子用である第９の電源バスライン４１と、Ｂｌｕｅの電流駆動素子用である第１０の電源バスライン４２とを備えている。
【００５２】
第８〜１０の各電源バスライン４０，４１，４２には、それぞれ複数の電源線ＹR ，ＹG ，ＹB が接続され、各電源線は、それぞれの電源バスラインに対して、図７に示すような第４の実施形態と同様に配線されており、本実施形態によれば、第４の実施形態と同様な作用・効果を奏する。
【００５３】
〔電気光学装置の第６の実施形態〕
図９は、本発明の第６の実施形態における電気光学装置を示す図であり、本図中において、図２及び図４と同一構成のものには、同一の符号を付している。
本実施形態における電気光学装置では、基本的な構成は、図１８に示す従来の電気光学装置と同様であるが、図１８に示した第１の電源バスライン１０３の代わりに、第２及び第３領域１０１ｂ，１０１ｃに連接して配設され、実装端子部１０２に一端が接続された第１１の電源バスライン５０と、第１領域１０１ａに配設され、実装端子部１０２に一端が接続された第１２の電源バスライン５１とを備えることを特徴とする。
【００５４】
第１１及び第１２の電源バスライン５０，５１の材質としては、ＡｌやＡｌＳｉＣｕ等の金属材が採用される。また、図９に示すように、第１１の電源バスライン５０は、第３領域１０１ｃ内に配設される導通部５０ａと、該導通部５０ａに連接し、第２領域１０１ｂ内に配設される供給部５０ｂとからなる。第１２の電源バスライン５１は、第１領域１０１ａ内に配設される導通部５１ａと、該導通部５１ａに連接し、同様に、第１領域１０１ａ内に配設される供給部５１ｂとからなる。導通部５１ａは、第１１の電源バスライン５０の導通部５０ａと並列に隣接するように、第３領域１０１ｃ側から実装端子部１０２に接続される。
【００５５】
各導通部５０ａ，５１ａは、共に幅寸法Ｗ5 、高さ寸法ｔの断面を有する。
さらに、各供給部５０ｂ，５１ｂは、幅寸法Ｗ6 、高さ寸法ｔの断面を有し、かつ、ｎ本の電源線１０４は、全て、一端が供給部５０ｂに連接され、他端が供給部５１ｂに連接されており、各電源線１０４から前記電流駆動素子に接続される。
【００５６】
また、各導通部５０ａ，５１ａの幅寸法Ｗ5 は、図１８に示すような、従来技術における導通部１０３ａの幅寸法Ｗ1の１／２の大きさに形成される。さらに、各供給部５０ｂ，５１ｂの幅寸法Ｗ6 は、従来技術における供給部１０３ｂの幅寸法Ｗ2 の１／２の大きさに形成されている。これらの幅寸法が従来技術における幅寸法の１／２に形成されるのは、当該配線の両端から電流が供給されるため、このように形成しても電圧降下が増大しないからである。
【００５７】
電流駆動素子の駆動電流は、実装端子部１０２を電源とし、第１１の電源バスライン５０の通電部５０ａを通過して供給部５０ｂに導かれ、各電源線１０４に通電されるとともに、同様に、第１２の電源バスライン５１の通電部５１ａを通過して供給部５１ｂに導かれ、各電源線１０４に通電され、各電流駆動素子に供給される。
【００５８】
図９に示すように、実装端子部１０２と通電部５０ａとの接続位置をＯ点とし、実装端子部１０２と通電部５１ａとの接続位置をＰ点とし、通電部５０ａに対して最も近傍に位置する電源線１０４（Ｘ1 ）と供給部５０ｂとの連接位置をＱ点とし、同様に、電源線１０４（Ｘ1 ）と供給部５１ｂとの連接位置をＲ点とした場合、前記Ｏ，Ｐ，Ｑ，Ｒの各点における電圧値をそれぞれＶO ,ＶP ,ＶQ ，ＶR とする。
【００５９】
各導通部５０ａ，５１ａの幅寸法Ｗ5 が、図１８に示す導通部１０３ａの幅寸法Ｗ1の１／２の大きさに設定され、かつ、各供給部５０ｂ，５１ｂの幅寸法Ｗ6が、図１８に示す供給部１０３ｂの幅寸法Ｗ2 の１／２の大きさに設定されている。これは、実装端子部１０２から導通部５０ａ、もしくは導通部５１ａに供給される駆動電流値は、それぞれ導通部１０３ａに供給される駆動電流値の１／２となり、電圧降下が増大しないからである。従って、電圧値ＶQ は、図１９に示す電圧値ＶB と同一値となる。また、Ｒ点は、Ｑ点と比較して実装端子部１０２からの距離が短いので、電圧値ＶR は、電圧値ＶQ と比較して高い値となる。
【００６０】
図１０に、供給部５０ｂと、該供給部５０ｂから距離Ｌ5だけ離れた供給部５１ｂ間の電圧降下の変移を示す。各供給部５０ｂ，５１ｂ間の距離Ｌ5と、図１８に示すＢ−Ｄ間の距離Ｌ2とが同一距離とすると、図１０における電圧降下の傾きは、図１８における電圧降下の傾きと同一となる。即ち、通電部５０ａから最も遠隔に位置する電源線１０４（Ｘn ）において、図１０の２本の斜線の交点で示される、供給部５０ｂからの距離Ｌ6 の位置をＳ点とし、該Ｓ点における電圧値をＶS とすると、電圧値ＶS が電圧の最小値となり、電圧値ＶR との電位差Ｖ５は、図２０における電位差Ｖ２の約１／２程度の値となる。
【００６１】
従って、従来の第１電源バスライン１０３と、本実施形態の第１１及び第１２電源バスライン５０，５１との形状を比較した場合、第１電源バスライン１０３を構成する導通部１０３ａの幅寸法Ｗ1 に対して、第１１電源バスライン５０を構成する導通部５０ａの幅寸法Ｗ5 は、幅寸法Ｗ1 の１／２の大きさであり、かつ、第１電源バスライン１０３を構成する供給部１０３ｂの幅寸法Ｗ2 に対して、供給部５０ｂと供給部５１ｂとを合わせた幅寸法（Ｗ6 ×２）は幅寸法Ｗ2 と同一寸法となるので、本実施形態によれば、電源バスラインの幅寸法を広げることなく、即ち、該電源バスラインを配設する額縁部１０１の領域を広げることなく、電圧降下を従来技術の約１／２程度に抑えることができる。即ち、走査線（不図示）方向の輝度ムラを抑え、該輝度ムラを左右対称として視覚的に目立ちにくくし、電気光学装置の表示品質の低下を低減させることが可能となる。
【００６２】
〔電気光学装置の第７の実施形態〕
図１１は、本発明の第７の実施形態における電気光学装置を示す図であり、本図中において、図９と同一構成のものには、同一の符号を付している。
本実施形態における電気光学装置では、基本的な構成は、図９に示す第６の実施形態における電気光学装置と同様であるが、図９に示す第１２の電源バスライン５１の代わりに、第１１の電源バスライン５０の導通部５０ａと並列に、かつ、第４領域１０１ｄ側から実装端子部１０２に接続する導通部６０ａを有する第１３の電源バスライン６０を備えることを特徴とする。
【００６３】
第１３の電源バスライン６０の材質としては、ＡｌやＡｌＳｉＣｕ等の金属材が採用される。また、図１１に示すように、第１３の電源バスライン６０は、第１領域１０１ａ内に配設される導通部６０ａと、該導通部６０ａに連接し、同様に、第１領域１０１ａ内に配設される供給部６０ｂとからなる。
【００６４】
導通部６０ａは、各導通部５０ａ，５１ａと同様に、幅寸法Ｗ5 、高さ寸法ｔの断面を有する。さらに、供給部６０ｂは、各供給部５０ｂ，５１ｂと同様に、幅寸法Ｗ6 、高さ寸法ｔの断面を有し、かつ、ｎ本の電源線１０４は、全て、一端が供給部５０ｂに連接され、他端が供給部６０ｂに連接されており、各電源線１０４から前記電流駆動素子に接続される。
【００６５】
電流駆動素子の駆動電流は、実装端子部１０２を電源とし、第１１の電源バスライン５０の通電部５０ａを通過して供給部５０ｂに導かれ、各電源線１０４に通電されるとともに、同様に、第１３の電源バスライン６０の通電部６０ａを通過して供給部６０ｂに導かれ、各電源線１０４に通電され、各電流駆動素子に供給される。
【００６６】
図１１に示すように、実装端子部１０２と通電部６０ａとの接続位置をＴ点とし、電源線１０４（Ｘ1 ）と供給部６０ｂとの連接位置をＵ点とした場合、前記Ｔ及びＵの各点における電圧値をそれぞれＶT ,ＶU とする。
【００６７】
各導通部５０ａ，６０ａの幅寸法Ｗ5 が、図１８に示す導通部１０３ａの幅寸法Ｗ1の１／２の大きさに設定され、かつ、各供給部５０ｂ，６０ｂの幅寸法Ｗ6が、図１８に示す供給部１０４ｂの幅寸法Ｗ2 の１／２の大きさに設定されているの。これは、実装端子部１０２から導通部５０ａ、もしくは導通部６０ａに供給される駆動電流値は、それぞれ導通部１０３ａに供給される駆動電流値の１／２となり、電圧降下が増大しないからである。従って、電圧値ＶR は、図１９に示す電圧値ＶB と同一値となる。また、Ｕ点は、Ｒ点と比較して実装端子部１０２からの距離が短いので、電圧値ＶU は、電圧値ＶR と比較して高い値となる。
【００６８】
図１２に、供給部５０ｂと、該供給部５０ｂから距離Ｌ5 だけ離れた供給部６０ｂ間の電圧降下の変移を示す。各供給部５０ｂ，６０ｂ間の距離Ｌ5 と、図１８に示すＢ−Ｄ間の距離Ｌ2とが同一距離とすると、図１２における電圧降下の傾きは、図１８における電圧降下の傾きと同一となる。即ち、電源線１０４（Ｘ1 ）において、図１２の２本の斜線の交点で示される、供給部５０ｂからの距離Ｌ7 の位置をＺ点とし、該Ｚ点における電圧値をＶZ とすると、電圧値ＶZ が電圧の最小値となり、電圧値ＶU との電位差Ｖ６は、図２０における電位差Ｖ２の約１／２程度の値となる。
【００６９】
従って、本実施形態によれば、第６の実施形態と同様に、電源バスラインの幅寸法を広げることなく、即ち、該電源バスラインを配設する額縁部１０１の領域を広げることなく、電圧降下を従来技術の約１／２程度に抑えることができる。即ち、走査線（不図示）方向の輝度ムラを抑え、該輝度ムラを左右対称として視覚的に目立ちにくくし、電気光学装置の表示品質の低下を低減させることが可能となる。
【００７０】
〔電気光学装置の第８の実施形態〕
図１３は、本発明の第８の実施形態における電気光学装置を示す図であり、本図中において、図６，図７，図９，及び図１１と同一構成のものには、同一の符号を付している。
第６及び第７の実施形態では、電源バスラインは、額縁部１０１に、ＲＧＢ各色の電流駆動素子（不図示）の全てに対応して１組のみ設けられているのに対し、本実施形態における電気光学装置では、Ｒｅｄ，Ｇｒｅｅｎ，Ｂｌｕｅの三色の電流駆動素子それぞれに対応した電源バスラインを有することを特徴とする。
【００７１】
図１３に示すように、電気光学装置は、Ｒｅｄの電流駆動素子用である第１４の電源バスライン７０及び第１５の電源バスライン７１と、Ｇｒｅｅｎの電流駆動素子用である第１６の電源バスライン７２及び第１７の電源バスライン７３と、Ｂｌｕｅの電流駆動素子用である第１８の電源バスライン７４及び第１９の電源バスライン７５とを備えている。
【００７２】
第１４の電源バスライン７０と第１５の電源バスライン７１、第１６の電源バスライン７２と第１７の電源バスライン７３、また、第１８の電源バスライン７４と第１９の電源バスライン７５は、それぞれ複数の電源線ＹR ，ＹG ，ＹB で連接されている。各電源線は、それぞれの電源バスラインに対して、図７に示すような第４の実施形態と同様に配線されている。第１５，第１７，第１９の各電源バスライン７１，７３，７５は、第６の実施形態と同様に、第３領域１０１ｃ側から実装端子部１０２に接続される。
【００７３】
本実施形態によれば、第６の実施形態と同様な効果を奏し、さらに、ＲＧＢ各色の電流駆動素子にそれぞれ独立した電源バスラインから電流を供給するので、ＲＧＢ各色の電流駆動素子に供給する電流値をそれぞれ適宜調整することができ、また、効率が良く、表示ばらつきが抑えられた電気光学装置を得ることが可能となる。
【００７４】
〔電気光学装置の第９の実施形態〕
図１４は、本発明の第９の実施形態における電気光学装置を示す図であり、本図中において、図９，図１１，及び図１３と同一構成のものには、同一の符号を付している。
本実施形態における電気光学装置では、図１３に示した第８の実施形態と同様に、Ｒｅｄ，Ｇｒｅｅｎ，Ｂｌｕｅの三色の電流駆動素子それぞれに対応した３組の電源バスラインを有しているが、第１領域１０１ａに配設される第２０，第２１，第２２の各電源バスライン７６，７７，７８は、第７の実施形態と同様に、第４領域１０１ｄ側から実装端子部１０２に接続されることを特徴としており、本実施形態によれば、第７の実施形態と同様な作用・効果を奏する。
【００７５】
〔電気光学装置の第１０の実施形態〕
図２１は、本発明の第１０の実施形態である電気光学装置を示す図であり、本図中において、図１に示す第１の実施形態である電気光学装置の構成に対応する構成には、互いに同一の符号を付している。
本実施形態における電気光学装置では、図１に示す第１の実施形態である電気光学装置の電源バスライン５４の代わりに、表示データ信号線５３との交差部付近に、線幅が他の部分に比べて実質的に狭いくびれ部３１０ａを備えた電源バスライン３１０を有することを特徴とする。
【００７６】
図２１に示すように、電源バスライン３１０には、各表示データ信号線５３にそれぞれ対応した複数のくびれ部３１０ａを有する。なお、各表示データ信号線５３は、端子部１０２の各端子にそれぞれ接続されている。また、電源バスライン３１０は、電流容量を確保するために、端子部１０２の複数の端子に接続されている。なお、端子部の端子は、外部の装置等との接続を容易にするために、一定の大きさ及び間隔で配列されることが望ましい。
【００７７】
電源バスライン３１０は、厚みの均一な金属薄膜であり、Ａｌやその合金であるＡｌＳｉＣｕ等の材料からなる。また、互いに隣り合う表示データ信号線５３の間隔は、およそ７０μｍ（マイクロメートル）であり、表示データ信号線５３の幅は、およそ６μｍである。くびれ部３１０ａは、この表示データ信号線５３に対応して設けられているので、その間隔は、およそ７０μｍである。また、くびれ部３１０ａの長さは、くびれ部３１０ａにおいて電源バスライン３１０と表示データ信号線５３とが交差するように、表示データ信号線の幅に応じて設定される。本実施形態の場合には、くびれ部３１０ａの長さは、表示データ信号線５３の幅６μｍに電源バスライン３１０と表示データ信号線５３との位置誤差を加えた値に設定されている。
【００７８】
くびれ部３１０ａの幅Ｗ1 は、電源バスライン３１０の他の部分の幅Ｗ2よりも小さく形成される。ここで、電源バスライン３１０と表示データ信号線５３との交差部の面積は、それぞれの線幅の積として求められるので、本実施形態のように表示データ信号線５３がくびれ部３１０ａにおいて電源バスライン３１０と交差するように構成すれば、交差部の面積をＷ1／Ｗ2に縮小することが可能となる。これにより、交差部において発生する表示データ信号線５３の寄生容量を低減できる。
【００７９】
また、図１に示したような、線幅Ｗ0の均一な第１の実施形態である電源バスラインと同等の電流供給特性を得ようとする場合には、くびれ部３１０ａの幅Ｗ1をＷ0より小さく設定することによって生じた抵抗値の増加分を、電源バスライン３１０の他の部分の線幅Ｗ2 をＷ0より大きく設定することによって補償することが望ましい。この補償分を考慮した場合の線幅は次式によって得ることができる。
【００８０】
［式１］
Ｗ2＝Ｌ2Ｗ0Ｗ1／（（Ｌ1＋Ｌ2）Ｗ1−Ｌ1Ｗ0）
ここに、Ｌ1は、くびれ部３１０ａの長さを示し、Ｌ2は、くびれ部３１０ａ以外の部分の長さを示す。
【００８１】
［式１］を用い、本実施形態のくびれ部３１０ａの長さ及びくびれ部３１０ａ以外の部分の長さを勘案して、線幅Ｗ2とＷ0との比を求めると、くびれ部３１０ａの幅Ｗ1をＷ2の１０分の１程度に設定した場合には、Ｗ2をＷ0の２倍程度に設定すればよいことがわかる。
【００８２】
〔電気光学装置の第１１の実施形態〕
図２２は、本発明の第１１の実施形態にかかる電気光学装置の平面図である。また、交差部の構造の斜視図（図２２中のＡ―Ａ断面の斜視図）を図２３に示す。本実施形態においては、表示データ信号線５３と電源バスライン３１０とを同一レイヤーに形成しており、その交差部において、表示データ信号線５３が金属材に比べてシート抵抗値の大きな不純物含有Ｓｉ等で形成された導電線に迂回して電源バスライン３１０を跨いでいる。この交差部において、厚さ数百ｎｍの層間絶縁層５６を挟んで表示データ信号線５３の迂回配線５７と電源バスライン３１０が対向している。
【００８３】
電源バスライン３１０は、表示データ信号線５３との交差部にくびれ部３１０ａを有しており、これにより表示データ信号線５３の迂回配線５７の長さを短くすることができる。
迂回配線５７は、上述のとおり、不純物含有Ｓｉからなっており、表示データ信号線５３の材質であるＡｌやその合金であるＡｌＳｉＣｕ等の材料に比べてシート抵抗値がはるかに高いので、この迂回配線５７の長さを短くすることにより、配線抵抗の総和を小さくすることが可能となる。もちろん、電源バスラインのくびれ部で表示データ信号線の迂回配線５７と交差するため、迂回配線５７と電源バスラインとの交差部分の面積を減少させ、以って当該部分において発生する寄生容量を低減する効果もある。
【００８４】
勿論、迂回配線５７のある配線層も、Ａｌやその合金であるＡｌＳｉＣｕ等のシート抵抗値が小さい材料で形成する事が可能な場合は、上記のような交差部で迂回する構造にせず、電源バスライン３１０と表示データ信号線５３を異なる配線層に配置する事で交差させる方が、構造が簡単になる。
この場合も、電源バスライン３１０のくびれ部３１０ａで表示データ信号線５３と交差するため、交差部分の面積を減少させ、以って当該部分において発生する寄生容量を低減する効果がある。
【００８５】
図２３では、表示データ信号線５３と電源バスライン３１０とを同一レイヤーに形成し、その交差部において、表示データ信号線５３が金属材に比べてシート抵抗値の大きな不純物含有Ｓｉ等で形成された導電線に迂回して電源バスライン３１０を跨ぐ構造であったが、電源バスライン３１０が金属材に比べてシート抵抗値の大きな不純物含有Ｓｉ等で形成された導電線に迂回して表示データ信号線５３を跨ぐ構造をとる事も可能である。
この場合も、電源バスラインのくびれ部３１０ａで表示データ信号線５３と交差するため、表示データ信号線53と電源バスライン３１０との交差部分の面積を減少させ、以って当該部分において発生する寄生容量を低減する効果がある。
【００８６】
〔電気光学装置の第１２の実施形態〕
図２４は、本発明の第１２の実施形態における電気光学装置を示す図であり、本図中において、図２１と同一構成のものには、同一の符号を付している。
第１０及び第１１の実施形態では、電源バスライン３１０は、額縁部１０１の実装端子部１０２が設置された一辺に、赤、緑、青、各色の電気光学素子（不図示）の全てに対応して１本のみ設けられているのに対し、本実施形態における電気光学装置では、電気光学素子の赤、緑、青各色に対応した電源バスラインを有することを特徴とする。このように構成することにより、各色の電気光学素子の最適な駆動電圧が異なる場合でも、それぞれに最適な駆動電圧を供給することが可能となる。
【００８７】
図２４に示すように、実装端子部１０２には、図２３における左側上部から並列に３本の電源バスラインが接続されている。即ち、本実施形態の電気光学装置は、赤色の電気光学素子用である電源バスライン３２０と、青色の電気光学素子用である電源バスライン３２１と、緑色の電気光学素子用である電源バスライン３２２とを備えている。
【００８８】
各電源バスライン３２０、３２１、３２２にそれぞれ設けられた、各くびれ部３２０ａ、３２１ａ、３２２ａの寸法等の条件は、第１０の実施形態における電気光学装置と同様である。本実施形態によれば、第１０の実施形態と同様な効果を奏し、さらに、赤、緑、青、各色の電気光学素子にそれぞれ独立した電源バスラインから電流を供給するので、赤、緑、青、各色の電流駆動素子に供給する駆動電圧をそれぞれ適宜調整することができ、効率が良く、表示ばらつきの少ない電気光学装置を得ることが可能となる。
【００８９】
なお、図２５に示す本発明の第１２の実施形態の変形例のように、電源バスライン用実装端子の配置を変更することも可能である。本変形例では赤色用の電源バスライン３３０の実装端子を他の色用の電源バスライン３２０、３２１の実装端子と離れた位置に配置している。即ち、赤用の電源バスラインの実装端子を実装端子部１０２の一方の端部に、他色用の電源バスラインの実装端子を実装端子部１０２の他の端部に配置している。電源バスラインは、電流容量を確保する必要から実装端子部１０２の端部に配置して、それぞれに複数の端子を割り当てることが望ましい。本変形例のように電源バスライン３２０、３２１、３３０の実装端子を実装端子部１０２の両端に振り分けて配置することにより、左右の額縁部の幅をバランス良く設定することが可能となり、これによって電気光学装置全体をバランスの良い構成とすることが可能となる。
【００９０】
〔電気光学装置の第１３の実施形態〕
図２６は、本発明の第１３の実施形態にかかる電気光学装置の交差部を示す平面図である。また、当該交差部の構造の斜視図（図２６中のＢ―Ｂ断面の斜視図）を図２７に示す。本実施形態においては、表示データ信号線５３と電源バスライン３４０、３４１、３４２とを同一レイヤーに形成しており、その交差部において、表示データ信号線５３が金属材に比べてシート抵抗値の大きな不純物含有Ｓｉ等で形成された迂回配線５７に迂回して電源バスライン３４０、３４１、３４２を跨いでいる。この交差部において、厚さ数百ｎｍの層間絶縁層５６を挟んで表示データ信号線５３の迂回配線５７と電源バスライン３４０、３４１、３４２が対向している。
【００９１】
電源バスライン３４０、３４１、３４２は、表示データ信号線５３との交差部にくびれ部３４０ａ、３４１ａ、３４２ａを有しており、これにより表示データ信号線５３の迂回配線５７の長さを短くすることができる。本実施形態においては、更に、電源バスライン同士の間隔をくびれ部３４０a、３４１ａ、３４２ａにおいても他の部分とほぼ同等に設定しているので、くびれ部と電源バスラインの間隔とを合計した距離をより短縮することが可能となり、迂回配線５７を更に短縮することが可能となる。
【００９２】
勿論、迂回配線５７のある配線層も、Ａｌやその合金であるＡｌＳｉＣｕ等のシート抵抗値が小さい材料で形成する事が可能な場合は、上記のような交差部で迂回する構造にせず、電源バスライン３４０、３４１、３４２と表示データ信号線５３を異なる配線層に配置する事で交差させる方が、構造が簡単になる。
この場合も、電源バスライン３４０、３４１、３４２のくびれ部３４０ａ、３４１ａ、３４２ａで表示データ信号線５３と交差するため、交差部分の面積を減少させ、以って当該部分において発生する寄生容量を低減する効果がある。
【００９３】
図２７では、表示データ信号線５３と電源バスライン３４０、３４１、３４２とを同一レイヤーに形成し、その交差部において、表示データ信号線５３が金属材に比べてシート抵抗値の大きな不純物含有Ｓｉ等で形成された導電線に迂回して電源バスライン３４０、３４１、３４２を跨ぐ構造であったが、電源バスライン３４０、３４１、３４２が金属材に比べてシート抵抗値の大きな不純物含有Ｓｉ等で形成された導電線に迂回して表示データ信号線５３を跨ぐ構造をとる事も可能である。
この場合も、電源バスライン３４０、３４１、３４２のくびれ部３４０ａ、３４１ａ、３４２ａで表示データ信号線５３と交差するため、交差部分の面積を減少させ、以って当該部分において発生する寄生容量を低減する効果がある。
【００９４】
別の観点からは、電源バスライン３４０のくびれ部３４０ａの一部（図２６中、くびれ部３４０ａの斜線部）が、他の電源バスライン３４１の通常部（くびれ部以外の部分をいう。）の延長上（図２６中、電源バスライン３４１に付した二点鎖線）に重なるように配置されている。これにより、複数の電源バスラインのくびれ部を互いに近接して配置することが可能となり、これら複数の電源バスラインのくびれ部を一括して迂回する迂回配線５７の配線長を更に短縮することが可能となる。なお、本例では、くびれ部３４０ａの一部が通常部の延長部と重なっているが、くびれ部３４０ａの全部が当該部分と重なってもよく、これによっても同様の効果が得られる。
【００９５】
また、更に別の観点からは、複数の電源バスライン全体の中心線Ｐ（図２６）に対して複数のくびれ部が略線対象に配置されている。これにより、各電源バスラインのくびれ部の長さの合計を短縮することが可能となり、くびれ部における電源バスラインの抵抗値増加量を低減することが可能となる。
【００９６】
〔電子機器〕
次に、上記電気光学装置を備えた電子機器の実施形態について説明する。
図１５（ａ）は、携帯電話の一例を示した斜視図である。図１５（ａ）において、携帯電話本体２１０には、上記の電気光学装置を用いた表示部２１０が備えられている。
【００９７】
図１５（ｂ）は、腕時計型電子機器の一例を示した斜視図である。図１５（ｂ）において、時計本体２２０には、上記の電気光学装置を用いた表示部２２１が備えられている。
【００９８】
図１５（ｃ）は、ワープロ、パソコンなどの携帯型情報処理装置の一例を示した斜視図である。図１５（ｃ）において、情報処理装置２３０には、キーボード等の入力部２３１と、情報処理装置本体２３２と、上記の電気光学装置を用いた表示部２３３とが備えられている。
【００９９】
図１５（ａ）〜（ｃ）に示す電子機器は、表示部を極めて重要な構成要素とするものであり、その表示品位の如何によって実用的な性能が大きく左右される電子機器である。従って、本実施形態の電子機器は、良好な発光階調特性を有する本発明の実施形態たる上記の電気光学装置を備えることにより、表示品位に優れた表示部を備えた高性能の電子機器とすることができる。
【０１００】
以上、本発明の実施形態による電気光学装置、及び電子機器について説明したが、本発明は、上記実施形態に制限されず、本発明の範囲内で自由に変更が可能である。
【０１０１】
例えば、図１１に示した第７の実施形態では、第１１の電源バスライン５０の導通部５０ａと並列に、かつ、第４領域１０１ｄ側から実装端子部１０２に接続する導通部６０ａを有する第１３の電源バスライン６０を備える構成としたが、本発明では、この構成を更に拡張することが可能である。即ち、図１６に示すように、図１１における第１１の電源バスライン５０と第１３の電源バスライン６０とを互いに連結させ、マトリクス表示部１００を取り囲むような電源バスライン８０を形成させることも可能である。これにより、第７の実施形態と同様に、電源バスラインの幅寸法を広げることなく、即ち、該電源バスラインを配設する額縁部１０１の領域を広げることなく、電圧降下を抑止することが可能となる。
【０１０２】
更に、図１４に示した第９の実施形態では、Ｒｅｄ，Ｇｒｅｅｎ，Ｂｌｕｅの三色の電流駆動素子それぞれに対応した３組の電源バスラインを有し、第１領域１０１ａに配設される第２０，第２１，第２２の各電源バスライン７６，７７，７８は、第７の実施形態と同様に、第４領域１０１ｄ側から実装端子部１０２に接続する構成となっているが、この場合も電源バスラインの構成を拡張することが可能である。即ち、図１７に示すように、図１４における各電源バスラインを、対応する色毎に互いに連結させ、マトリクス表示部１００を取り囲むような各電源バスライン８０，８１，８２を形成させることも可能である。これによれば、第７の実施形態と同様な作用・効果を奏する。
【０１０３】
また、第４，第５，第８，または第９の実施形態においては、電源バスラインの本数を、ＲＧＢの各色の電流駆動素子にそれぞれ電流供給をするように３本としたが、本発明は、これに限定されるものではない。即ち、Ｒｅｄの電流駆動素子用の電源バスラインと、ＧｒｅｅｎとＢｌｕｅの両電流駆動素子用の電源バスラインとして、電源バスラインを２本とすることもあり得る。本構成によれば、Ｒｅｄと、Ｇｒｅｅｎ＋Ｂｌｕｅの各色の電流駆動素子に供給する電流値をそれぞれ適宜調整することができ、効率が良く、表示ばらつきが抑えられた電気光学装置を得ることが可能となる。さらに、電源バスラインを３本使用する場合と比較して、電気光学装置全体をバランスの良い構成とすることが可能となる。
【０１０４】
また、上記実施形態においては、電源バスラインと表示データ信号線との交差部において、電源バスラインに、くびれ部を形成させたが、本発明は、これに限定されるものではない。例えば、電源バスラインの幅を一定とし、表示データ信号線の交差部付近に、くびれ部を設けても良く、また、その交差部において電源バスライン及び表示データ信号線の双方にくびれ部を設けても良い。本構成によれば、上記実施形態と同様に、表示データ信号線の寄生静電容量を小さくする効果が得られ、電気光学素子への正確な電流供給が可能となる。
【０１０５】
上記実施形態においては、図２１〜２５に示すように、くびれ部３１０ａの形状を、凹型とした。これはくびれ部を設ける配線の幅方向、端部にくびれ部を配置したものであり、形状が単純となるので、製造が容易であり、更に、不要輻射対策等も比較的容易である。
また、例えば、図２８（ａ）に示すように、幅Ｗ2の電源バスライン３５０の交差部において、電源バスラインの左右より凹型を設け、幅Ｗ1のくびれ部３５０ａを形成しても良い。かかる形状により、配線内の電流の流れが円滑となり、配線幅が広い場合には端部にくびれ部を配置した場合に比べて実効抵抗値を低減することが可能となる。
更に、図２８（ｂ）に示すように、幅Ｗ2の電源バスライン６０の交差部において、該電源バスラインに幅（Ｗ2−Ｗ1）の開口を形成し、くびれ部６０ａとしても良い。また、この場合、開口の数は複数でもよい。なお、幅Ｗ1と幅Ｗ2の関係条件は、上記第１０の実施形態と同一とする。本構成によれば、上記実施形態と同様の効果を奏する。また、更に、くびれ部の配線が複数に分割されることから、外傷によって一の配線が切断された場合でも残りの配線によってこれを補うことができる。
【０１０６】
第１２及び第１３の実施形態においては、電源バスラインの本数を、赤、緑、青の各色の電気光学素子にそれぞれ電流供給をするように３本としたが、本発明は、これに限定されるものではない。例えば、赤色電気光学素子用の電源バスラインと、緑色及び青色の両電気光学素子に共通の電源バスラインとの２系統とすることも可能である。本構成によれば、赤色電気光学素子と、緑色及び青色電気光学素子の各系統に供給する電圧をそれぞれ適宜設定することができ、効率が良く、表示ばらつきの小さい電気光学装置を得ることが可能となる。さらに、電源バスラインを偶数本使用すれば、これを奇数本使用する場合と比較して、電気光学装置全体の配線バランスをより良好に設定することが可能となる。
【０１０７】
【発明の効果】
以上説明したように、本発明によれば、狭額縁化が可能である。また、額縁部を広くすることなく、電流ムラ、輝度ムラを抑え、電気光学装置及び電子機器の表示品質を改善することが可能となる。
更に本発明によれば、電源バスライン、もしくは表示データ信号線のどちらか一方には、電源バスラインと表示データ信号線との交差部に、くびれ部を設けているので、表示データ信号線の寄生静電容量を低減することができる。また、くびれ部を設けた側の他方の配線をより比抵抗の大きな配線層へ迂回する場合には、その迂回配線長を短縮することが可能となり、当該配線の抵抗値の増大を抑えることができる。したがって、電気光学素子への正確な電流供給が可能となり、良好な発光階調特性を得ることが可能となる。
【図面の簡単な説明】
【図１】  第１の実施形態による電気光学装置を示す概略図である。
【図２】  第２の実施形態による電気光学装置を示す概略図である。
【図３】  Ｇ−Ｈ点間の電圧降下の変移を示す関係図である。
【図４】  第３の実施形態による電気光学装置を示す概略図である。
【図５】  Ｊ−Ｋ点間の電圧降下の変移を示す関係図である。
【図６】  第４の実施形態による電気光学装置を示す概略図である。
【図７】  電源線と電源バスラインの連接部を示す斜視図である。
【図８】  第５の実施形態による電気光学装置を示す概略図である。
【図９】  第６の実施形態による電気光学装置を示す概略図である。
【図１０】  供給部５０ｂ−５１ｂ間の電圧降下を示す関係図である。
【図１１】  第７の実施形態による電気光学装置を示す概略図である。
【図１２】  供給部５０ｂ−６０ｂ間の電圧降下を示す関係図である。
【図１３】  第８の実施形態による電気光学装置を示す概略図である。
【図１４】  第９の実施形態による電気光学装置を示す概略図である。
【図１５】  本発明の電気光学装置を備えた電子機器の一例である。
【図１６】  上記実施形態を変形した電気光学装置を示す概略図である。
【図１７】  上記実施形態を変形した電気光学装置を示す概略図である。
【図１８】  従来の電気光学装置を示す概略図である。
【図１９】  Ｂ−Ｃ点間の電圧降下を示す関係図である。
【図２０】  Ｂ−Ｄ点間の電圧降下を示す関係図である。
【図２１】  本発明の第１０実施形態である電気光学装置を示す概略平面図である。
【図２２】  本発明の第１１実施形態である電気光学装置を示す概略平面図である。
【図２３】  本発明の第１１実施形態である電気光学装置の交差部を示す断面斜視図である。
【図２４】  本発明の第１２実施形態である電気光学装置を示す概略平面図である。
【図２５】  本発明の第１２実施形態の変形例である電気光学装置を示す概略平面図である。
【図２６】  本発明の第１３実施形態である電気光学装置の交差部を示す平面図である。
【図２７】  本発明の第１３実施形態である電気光学装置の交差部を示す断面斜視図である。
【図２８】  本発明の実施形態における、電源バスラインのくびれ部の他の形状を示す平面図である。
【符号の説明】
１０・・・第３の電源バスライン
２０・・・第４の電源バスライン
３０・・・第５の電源バスライン
３１・・・第６の電源バスライン
３２・・・第７の電源バスライン
４０・・・第８の電源バスライン
４１・・・第９の電源バスライン
４２・・・第１０の電源バスライン
５０・・・第１１の電源バスライン
５１・・・第１２の電源バスライン
５３・・・表示データ信号線
５４・・・第２の電源バスライン
５６・・・層間絶縁層
５７・・・迂回配線
６０・・・第１３の電源バスライン
７０・・・第１４の電源バスライン
７１・・・第１５の電源バスライン
７２・・・第１６の電源バスライン
７３・・・第１７の電源バスライン
７４・・・第１８の電源バスライン
７５・・・第１９の電源バスライン
７６・・・第２０の電源バスライン
７７・・・第２１の電源バスライン
７８・・・第２２の電源バスライン
１００・・・マトリクス表示部
１０１・・・額縁部
１０２・・・実装端子部
１０３・・・第１の電源バスライン
１０４・・・電源線
Ｗ・・・電源バスラインの幅寸法
Ｗ0 ・・・第１の電源バスラインの幅寸法
Ｘ(1〜n)・・・電源線
ＹR，ＹG，ＹB・・・電源線
３１０・・・第１０実施形態における電源バスライン
３１０ａ・・・第１０実施形態における電源バスラインのくびれ部
３２０・・・第１２実施形態における赤色用電源バスライン
３２１・・・第１２実施形態における青色用電源バスライン
３２２・・・第１２実施形態における緑色用電源バスライン
３３０・・・第１２実施形態の変形例における緑色用電源バスライン
【図１】
0003700714.tif 000002
【図２】
0003700714.tif 000003
【図３】
0003700714.tif 000004
【図４】
0003700714.tif 000005
【図５】
0003700714.tif 000006
【図６】
0003700714.tif 000007
【図７】
0003700714.tif 000008
【図８】
0003700714.tif 000009
【図９】
0003700714.tif 000010
【図１０】
0003700714.tif 000011
【図１１】
0003700714.tif 000012
【図１２】
0003700714.tif 000013
【図１３】
0003700714.tif 000014
【図１４】
0003700714.tif 000015
【図１５】
0003700714.tif 000016
【図１６】
0003700714.tif 000017
【図１７】
0003700714.tif 000018
【図１８】
0003700714.tif 000019
【図１９】
0003700714.tif 000020
【図２０】
0003700714.tif 000021
【図２１】
0003700714.tif 000022
【図２２】
0003700714.tif 000023
【図２３】
0003700714.tif 000024
【図２４】
0003700714.tif 000025
【図２５】
0003700714.tif 000026
【図２６】
0003700714.tif 000027
【図２７】
0003700714.tif 000028
【図２８】
0003700714.tif 000029